(57)【要約】【構成】ピーキング回路２４は、ＬＰＦ２２から出力された輝度信号の高周波成分を補償する。比較回路２０は、輝度信号の平坦度を判別し、判別結果に応じてピーキング回路２４の補償特性を変更する。つまり、輝度信号の平坦度が低いほど、高周波成分の補償の程度を大きくする。【効果】良好な画質補正が実現される。【選択図】  図１
2004343187.tif 000002
【特許請求の範囲】
【請求項１】
画像信号の高周波成分を補償する補償手段、
前記画像信号の平坦度を判別する判別手段、および
前記判別手段の判別結果に応じて高周波成分の補償の程度を変更する変更手段を備える、画質補正回路。
【請求項２】
前記変更手段は、前記画像信号の平坦度が低いほど前記高周波成分の補償の程度を大きくする、請求項１記載の画質補正回路。
【請求項３】
前記画像信号のうち第１基準レベル以下の成分を抽出する抽出手段、
前記抽出手段による抽出信号を増幅する増幅手段、および
前記増幅手段による増幅信号を整流する整流手段をさらに備え、
前記判別手段は前記整流手段による整流レベルを第２基準レベルと比較して前記平坦度を判別する、請求項１または２記載の画質補正回路。
【請求項４】
前記判別手段は判別結果にヒステリシス特性を持たせる、請求項３記載の画質補正回路。
【発明の詳細な説明】
【０００１】
【発明の属する技術分野】
この発明は、画質補正回路に関し、特にたとえばビデオレコーダに適用され、画像信号の高域周波数成分を補正する、画質補正回路に関する。
【０００２】
【従来技術】
従来のこの種の画質補正回路としては、磁気テープからの再生ＦＭレベルを検知し、検知されたレベルに応じた態様で再生画像の画質補正を行うものがあった。
【０００３】
【発明が解決しようとする課題】
しかし、従来技術では、平坦な（単調な）画像に対する画質補正の程度と複雑な画像に対する画質補正の程度が同じであったため、平坦な画像においてノイズが目立ち、複雑な画像について解像感や鮮鋭度が低下するという問題があった。
【０００４】
それゆえに、この発明の主たる目的は、より良好な画質補正を行うことができる、画質補正回路を提供することである。
【０００５】
【課題を解決するための手段】
この発明に従う画質補正回路は、画像信号の高周波成分を補償する補償手段、画像信号の平坦度を判別する判別手段、および判別手段の判別結果に応じて高周波成分の補償の程度を変更する変更手段を備える。
【０００６】
【作用】
画像信号の高周波成分は、補償手段によって補償される。また、画像信号の平坦度は、判別手段によって判別される。ここで、変更手段は、判別手段の判別結果に応じて高周波成分の補償の程度を変更する。これによって、良好な画質補正が実現される。
【０００７】
好ましくは、変更手段は、画像信号の平坦度が低いほど高周波成分の補償の程度を大きくする。
【０００８】
また、抽出手段が画像信号のうち第１基準レベル以下の成分を抽出し、増幅手段が抽出手段による抽出信号を増幅し、そして整流手段が増幅手段による増幅信号を整流する場合、判別手段は、整流手段による整流レベルを第２基準レベルと比較して平坦度を判別する。なお、判別手段は、好ましくは判別結果にヒステリシス特性を持たせる。
【０００９】
【発明の効果】
この発明によれば、画像信号に含まれる高周波成分の補償の程度を画像信号の平坦度に応じて変更するようにしたため、良好な画質補正が可能となる。
【００１０】
この発明の上述の目的，その他の目的，特徴および利点は、図面を参照して行う以下の実施例の詳細な説明から一層明らかとなろう。
【００１１】
【実施例】
図１を参照して、この実施例の画質補正回路１０は、画像信号を形成する輝度信号を入力する入力端子Ｓ１を含む。ＢＰＦ１２は、入力端子Ｓ１から入力された輝度信号のうち３ＭＨｚ〜４ＭＨｚの周波数成分を抽出する。ＢＰＦ１２からは、たとえば図７（Ａ）に示す波形を有する輝度信号が出力される。
【００１２】
クリップ回路１４は、ＢＰＦ１２から出力された輝度信号に図７（Ａ）に示すクリップレベルＣＬＰ１およびＣＬＰ２を基準とするクリップ処理を施す。クリップ回路１４からは、図７（Ｂ）に示す波形を持つ輝度信号が出力される。リミッタアンプ１６は、クリップ回路１４から出力された輝度信号を上限値ＬＭ１および下限値ＬＭ２によって規定される範囲内で増幅する。リミッタアンプ１６からは、図７（Ｃ）に示す波形を持つ飽和信号が出力される。
【００１３】
整流回路１８は、リミッタアンプ１６から出力された輝度信号に全波整流を施す。整流回路１８からは、図７（Ｄ）に示すような整流電圧Ｖｒｅｃが出力される。比較回路２０は、輝度信号の平坦度（単調度）を判別するべく、整流回路１８から出力された整流電圧Ｖｒｅｃを図７（Ｄ）に示す閾値Ｖｔｈ＋αおよび閾値Ｖｔｈ−αと比較する。つまり、比較結果が頻繁に変化すると後段のピーキング回路２４の動作が安定しないため、適度な時定数のヒステリシス特性を持たせるべく、Ｖｒｅｃ＞Ｖｔｈ＋αであればハイレベル信号を出力し、Ｖｒｅｃ＜Ｖｔｈ−αであればローレベル信号を出力する。したがって、比較回路２０からは、図７（Ｅ）に示す比較信号が出力される。
【００１４】
なお、閾値Ｖｔｈは、海や空のような単調画像の輝度信号に基づいて整流回路１８から出力される直流電圧値に等しい。
【００１５】
入力端子Ｓ１から入力された輝度信号はまた、ＬＰＦ２２を経てピーキング回路２４に与えられる。ピーキング回路２４は、輝度信号に含まれる高周波成分の補償の程度を比較回路２０から出力された比較信号のレベルに応じて変更する。具体的には、比較信号がハイレベルのとき補償の程度を大きくし、比較信号がローレベルのとき補償の程度を小さくする。
【００１６】
これによって、平坦画像を形成する輝度信号つまりレベル変化が少ない輝度信号については高周波ノイズが的確に除去され、複雑な画像を形成する輝度信号つまりレベル変化が頻繁に発生する輝度信号については鮮鋭度の低下が防止される。高周波成分が補償された輝度信号は、出力端子Ｓ４から出力される。
【００１７】
画像信号を形成する色信号は、入力端子Ｓ２から入力される。入力された色信号は、輝度信号の処理に要する時間を考慮して、遅延回路２６で所定時間にわたって遅延される。遅延処理が施された色信号は、出力端子Ｓ５から出力される。
【００１８】
クリップ回路１４は、図２に示すように構成される。入力端子Ｓ７は、キャパシタＣ１を介してトランジスタＴ１のベースと接続される。トランジスタＴ１のベースと直流電源Ｖｃｃとの間には抵抗Ｒ１が挿入され、トランジスタＴ１のベースとアースとの間には抵抗Ｒ２が挿入される。また、トランジスタＴ１のコレクタと直流電源Ｖｃｃとの間には抵抗Ｒ３が挿入され、トランジスタＴ１のエミッタとアースとの間には抵抗Ｒ４が挿入される。トランジスタＴ１のコレクタにはまた、トランジスタＴ２のベースが接続される。トランジスタＴ２のコレクタはアースと接続され、トランジスタＴ２のエミッタは抵抗Ｒ５を介して直流電源Ｖｃｃと接続される。トランジスタＴ２のエミッタは、キャパシタＣ２を介してダイオードＤ１のカソードおよびダイオードＤ２のアノードと接続され、ダイオードＤ１のアノードおよびダイオードＤ２のカソードは出力端子Ｓ８と接続される。
【００１９】
ＢＰＦ１２から出力された輝度信号は、入力端子Ｓ７に印加される。印加された輝度信号の直流成分はキャパシタＣ１によって除去され、直流成分が除去された輝度信号のレベルはトランジスタＴ１によって増幅される。輝度信号の極性は、トランジスタＴ１のベースとエミッタとで反転する。トランジスタＴ２のエミッタに現れた輝度信号の直流成分は、キャパシタＣ２によって除去される。
【００２０】
図７（Ａ）に示すクリップレベルＣＬＰ１およびＣＬＰ２に従うクリップ処理は、ダイオードＤ１およびＤ２によって実行される。ダイオードＤ１の順方向電圧がクリップレベルＣＬＰ１に相当し、ダイオードＤ２の順方向電圧がクリップレベルＣＬＰ２に相当する。クリップレベルＣＬＰ１よりも大きい輝度信号成分がダイオードＤ１を導通し、クリップレベルＣＬＰ２よりも小さい輝度信号成分がダイオードＤ２を導通する。これによって、図７（Ｂ）に示す波形を持つ輝度信号が出力端子Ｓ８から出力される。
【００２１】
リミッタアンプ１６は、図３に示すように構成される。入力端子Ｓ９は、キャパシタＣ３を介してトランジスタＴ３のベースと接続される。トランジスタＴ３のベースと直流電源Ｖｃｃとの間には抵抗Ｒ６が挿入され、トランジスタＴ３のベースとアースとの間には抵抗Ｒ７が挿入される。また、トランジスタＴ３のコレクタと直流電源Ｖｃｃとの間には抵抗Ｒ８が挿入され、トランジスタＴ３のエミッタとアースとの間には抵抗Ｒ９が挿入される。トランジスタＴ３のコレクタにはまた、トランジスタＴ４のベースが接続される。トランジスタＴ４のコレクタはアースと接続され、トランジスタＴ４のエミッタは抵抗Ｒ１０を介して直流電源Ｖｃｃと接続される。トランジスタＴ４のエミッタはまた、出力端子Ｓ１０と接続される。
【００２２】
クリップ回路１４から出力された輝度信号は、入力端子Ｓ９に印加される。印加された輝度信号の直流成分はキャパシタＣ３によって除去され、直流成分が除去された輝度信号のレベルはトランジスタＴ３によって増幅される。
【００２３】
トランジスタＴ３の増幅度は、トランジスタＴ１の増幅度よりも大きい。ただし、トランジスタＴ３のダイナミックレンジには限界があるため、増幅された輝度信号のレベルは、上限値ＬＭ１および下限値ＬＭ２で制限される。こうして、図７（Ｃ）に示す波形を持つ飽和信号が出力端子Ｓ１０から出力される。
【００２４】
整流回路１８は、図４に示すように構成される。入力端子Ｓ１１は、キャパシタＣ４および抵抗Ｒ１１を介してオペアンプＯＰ１のマイナス入力端と接続される。オペアンプＯＰ１のマイナス入力端は抵抗Ｒ１２を介してオペアンプＯＰ１の出力端とも接続され、オペアンプＯＰ１のプラス入力端はアースと接続される。  トランジスタＴ５およびＴ６は、差動対を形成する。トランジスタＴ５のベースはオペアンプＯＰ１の出力端と接続され、トランジスタＴ６のベースはキャパシタＣ４および抵抗Ｒ１１の接続点と接続される。トランジスタＴ５およびＴ６のコレクタは、直流電源Ｖｃｃと共通接続される。トランジスタＴ５およびＴ６のエミッタは、抵抗Ｒ１３を介してアースと接続されるとともに、抵抗Ｒ１４を介して出力端子Ｄ１２と接続される。抵抗Ｒ１４および出力端子Ｓ１２の接続点は、キャパシタＣ５を介してアースと接続される。
【００２５】
リミッタアンプ１６から出力された輝度信号は、入力端子Ｓ１１に印加される。印加された飽和信号の直流成分は、キャパシタＣ４によって除去される。直流成分が除去された飽和信号は、そのままトランジスタＴ６のベースに印加されるとともに、オペアンプＯＰ１，抵抗Ｒ１１およびＲ１２によって形成される反転形帰還回路によって極性が反転された状態でトランジスタＴ５のベースに印加される。この結果、入力端子Ｓ１１に印加された飽和信号のレベルの絶対値に対応する電圧が、抵抗Ｒ１３の端子電圧として現れる。この端子電圧はキャパシタＣ５によって平滑され、これによって図７（Ｄ）に示すような整流電圧Ｖｒｅｃが出力端子Ｓ１２から出力される。
【００２６】
比較回路２０は、図５に示すように構成される。入力端子Ｓ１３は、抵抗Ｒ１５を介してオペアンプＯＰ２のマイナス入力端と接続される。オペアンプＯＰ２のプラス入力端は、抵抗Ｒ１６を介してアースと接続され、抵抗Ｒ１７を介して直流電源Ｖｃｃと接続され、そして抵抗Ｒ１８を介してオペアンプＯＰ２の出力端と接続される。オペアンプＯＰ２の出力端は、抵抗Ｒ１９を介して直流電源Ｖｃｃと接続されるとともに、出力端子Ｓ１４に直接接続される。
【００２７】
整流回路１８から出力された整流電圧Ｖｒｅｃは、入力端子Ｓ１３に印加される。また、抵抗Ｒ１６の端子電圧が、閾値Ｖｔｈに相当する。オペアンプＯＰ２は、整流電圧Ｖｒｅｃが閾値Ｖｔｈ＋αを上回るとき出力レベルをハイレベルとし、整流電圧Ｖｒｅｃが閾値Ｖｔｈ−αを下回るとき出力レベルをローレベルとする。出力端子Ｓ１４からは、図７（Ｅ）に示す比較信号が出力される。
【００２８】
ピーキング回路２４は、図６に示すように構成される。出力端子Ｓ１５は、トランジスタＴ７のベースと接続される。トランジスタＴ７のコレクタは、抵抗Ｒ２０を介して直流電源Ｖｃｃと接続されるとともに、トランジスタＴ８のベースと直接接続される。トランジスタＴ８のコレクタは抵抗Ｒ２４を介してアースと接続され、トランジスタＴ８のエミッタは抵抗Ｒ２１を介して直流電源Ｖｃｃと接続される。トランジスタＴ８のエミッタはまた、トランジスタＴ１０のベースと直接接続される。トランジスタＴ１０のコレクタは直流電源Ｖｃｃと接続され、トランジスタＴ１０のエミッタは抵抗Ｒ２５を介してアースと接続される。また、トランジスタＴ１０のエミッタは、出力端子Ｓ１７と直接接続される。トランジスタＴ７のエミッタは、インダクタンスＬ１，キャパシタＣ６および抵抗Ｒ２３を介してアースと接続される。トランジスタＴ９のコレクタはキャパシタＣ６および抵抗Ｒ２３の接続点と接続され、トランジスタＴ９のエミッタはアースと接続され、そしてトランジスタＴ９のベースは制御端子Ｓ１６と接続される。
【００２９】
ＬＰＦ２２から出力された輝度信号は入力端子Ｓ１５に印加され、比較回路２０から出力された比較信号は制御端子Ｓ１６に印加される。トランジスタＴ９は、比較信号がハイレベルのときオン状態となり、比較信号がローレベルのときオフ状態となる。インダクタンスＬ１，キャパシタＣ６，抵抗Ｒ２２およびＲ２３によって形成される共振回路の共振周波数は、トランジスタＴ９のオン／オフによって変化する。つまり、トランジスタＴ９がオン状態のときの共振周波数は、トランジスタＴ９がオフ状態のときの共振周波数よりも高くなる。この結果、輝度信号に含まれる高周波成分の補償の程度は、トランジスタＴ９がオン状態のときに大きくなり、トランジスタＴ９がオフ状態のときに小さくなる。出力端子Ｓ１７からは、こうして高周波成分が補償された輝度信号が出力される。
【００３０】
以上の説明から分かるように、ピーキング回路２４は、ＬＰＦ２２から出力された輝度信号の高周波成分を補償する。比較回路２０は、輝度信号の平坦度を判別し、判別結果に応じてピーキング回路２４の補償特性を変更する。つまり、輝度信号の平坦度が低いほど、高周波成分の補償の程度を大きくする。これによって、単調な画像のときは不要な高周波成分が補償されることはなく、透明感のある画質が得られる。また、複雑な画像のときには高周波成分が補償されるため、解像感や鮮鋭度の高い画質を得ることができる。
【図面の簡単な説明】
【図１】この発明の一実施例を示すブロック図である。
【図２】図１実施例に適用されるクリップ回路の構成の一例を示す回路図である。
【図３】図１実施例に適用されるリミッタアンプの構成の一例を示す回路図である。
【図４】図１実施例に適用される整流回路の構成の一例を示す回路図である。
【図５】図１実施例に適用される比較回路の構成の一例を示す回路図である。
【図６】
図１実施例に適用されるピーキング回路の構成の一例を示す回路図である。
【図７】（Ａ）はＢＰＦの出力の一例を示す波形図であり、（Ｂ）はクリップ回路の出力の一例を示す波形図であり、そして（Ｃ）はリミッタアンプの出力の一例を示す波形図である。
【符号の説明】
１０…画質補正回路
１２…ＢＰＦ
１４…クリップ回路
１６…リミッタアンプ
１８…整流回路
２０…比較回路
２２…ＬＰＦ
２４…ピーキング回路
２６，２８…遅延回路
【図１】
2004343187.tif 000003
【図２】
2004343187.tif 000004
【図３】
2004343187.tif 000005
【図４】
2004343187.tif 000006
【図５】
2004343187.tif 000007
【図６】
2004343187.tif 000008
【図７】
2004343187.tif 000009